(57)【特許請求の範囲】
【請求項１】
建物の壁面から所定の間隔を設けて内装材を取り付ける内装材の取付構造において、
上記壁面から間隔を設けて床部及び天井部に固着されたランナ材と、
これらランナ材間に所定間隔をおいて架設され、表板部、左右の側板部及び裏面の一部又は全部を形成する裏板部を有するスタッド材と、
上記スタッド材と壁面との間に介装され、上下部間に保持空間部が設けられた多孔質の弾性体からなる保持部材と、
上記保持空間部に充填され、スタッド材の裏板部と壁面とを連結する接着剤と、
上記スタッド材の表面に取り付けられる内装材と、を有し、
上記保持部材は、端部が上記壁面に当接する上保持部、この上保持部の下方に位置する下保持部、及びこれら上下保持部を上記スタッド材の裏板部より内側において連結する連結保持部が設けられ、この上保持部と下保持部との間に上記接着剤が充填される保持空間部が設けられたことを特徴とする内装材の取付構造。
【請求項２】
建物の壁面から所定の間隔を設けて内装材を取り付ける内装材の取付構造において、
上記壁面から間隔を設けて床部及び天井部に固着されたランナ材と、
これらランナ材間に所定間隔をおいて架設され、表板部、左右の側板部及び裏面の一部又は全部を形成する裏板部を有するスタッド材と、
上記スタッド材と壁面との間に介装され、上下部間に保持空間部が設けられた多孔質の弾性体からなる保持部材と、
上記保持空間部に充填され、スタッド材の裏板部と壁面とを連結する接着剤と、上記スタッド材の表面に取り付けられる内装材と、を有し、
上記保持部材は、端部が上記壁面に当接する上保持部、この上保持部の下方に位置する下保持部、及びこれら上下保持部を上記スタッド材の裏板部の外側において連結する連結保持部が設けられ、この上保持部と下保持部との間に上記接着剤が充填される保持空間部が形成されるとともに、上記連結保持部には、上記スタッド材の裏板部から上記壁面に通ずる空隙部が形成されたことを特徴とする内装材の取付構造。
【請求項３】
建物の壁面から所定の間隔を設けて内装材を取り付ける内装材の取付構造において、
上記壁面から間隔を設けて床部及び天井部に固着されたランナ材と、
これらランナ材間に所定間隔をおいて架設され、孔部が設けられた表板部、左右の側板部及び裏面の一部を形成する裏板部を有するスタッド材と、
上記スタッド材の孔部周辺の裏面と壁面との間に介装され、上下部間に保持空間部が設けられた多孔質の弾性体からなる保持部材と、
上記スタッド材の孔部から注入され、上記保持空間部を充填してスタッド材の裏板部と壁面とを連結する接着剤と、
上記スタッド材の表面に取り付けられる内装材と、を有し、
上記保持部材は、端部が上記壁面に当接する上保持部、この上保持部の下方に位置する下保持部、及びこれら上下保持部を上記スタッド材の裏板部より内側において連結する連結保持部が設けられ、この上保持部と下保持部との間に上記接着剤が充填される保持空間部が形成され、上記連結保持部には上記スタッド材の孔部から上記保持空間部に通ずる貫通孔が形成されたことを特徴とする内装材の取付構造。
【請求項４】
上記接着剤として、硬化後はゴム状弾性機能を有する弾性接着剤を用いたことを特徴とする請求項１乃至請求項３の何れかに記載の内装材の取付構造。
【発明の詳細な説明】
【０００１】
【発明の属する技術分野】
本発明は、内装材の取付構造に関する。
【０００２】
【従来の技術】
本件出願人は、先に弾性接着剤を用いて壁面にスタッド材を固定する内装材の取付構造を出願した（特開平１０−４６７８６号公報）。この取付構造では、図６（ａ）に示すように建物の躯体である天井スラブ２および床スラブ面４に、ランナ材６，７を取り付け、これらランナ材６及びランナ材７間にスタッド材３を架設し、各スタッド材３の裏面側に保持材１を取り付けたものである。この保持材１はスポンジ等の材料からなり、スタッド材３と壁面９との間に介在させる。
【０００３】
この後、スタッド材３間に横棒などを当てがい、アジャスタピンを壁面９に打ち込んでスタッド材３の孕みを防止し、上記保持材１に弾性接着剤８を注入保持する。この弾性接着剤８の硬化によりスタッド材３を壁面９に固定し、このスタッド材３に内装材として内装用ボード５を敷設する。
【０００４】
上記保持材１として、図６（ｂ）に示すように、スタッド材３に設けた注入孔１３の下部に保持材１を配置する形態があり、注入孔１３から注入された弾性接着剤８は、保持材１の上部に充填保持されスタッド材３と壁面９とを連結する。さらに、本件出願人は図７に示すように、弾性接着剤８の保持の安定と一定量の充填空間を得るために、壁面９とスタッド材３との間の上下にスポンジ材１ａ，１ｂを介在させた工法を採用し、現場で実施している。
【０００５】
【発明が解決しようとする課題】
さて、上記工法を実施している作業現場では、上記２つのスポンジ材１ａ，１ｂは１５ミリメートルから２０ミリメートルの間隔を保持して配置するように注意を促しているが、個々の作業者の目測にばらつきがあるため、間隔が一定せず一様な接着強度が得られなくなるという惧れがあった。
【０００６】
また、配線配管等の都合で壁部のふかし幅（ｆ）（建物の壁面に配線、配管などを敷設するために設けられる壁面９からスタッド材３等までの隙間）を大きくとる場合、あるいは内装材の重量によっては、強度向上のためにスタッド材の断面形状を大きくする必要がある。しかしこの場合、図６（ｂ）に示すように弾性接着剤がスタッド材の枠内全体に充填されるため、接着剤の量が増えてこの弾性接着剤の硬化時間がかかり、作業の負荷が増え、又不経済であるという問題がある。
【０００７】
本発明は、上記問題点に鑑みてなされたものであり、強度が安定し、経済的でかつ施工性に優れた内装材の取付構造を提供することを目的とする。
【０００８】
【課題を解決するための手段】
以上の技術的課題を解決するため、本発明に係る内装材の取付構造は、図１乃至図４に示すように、建物の壁面９から所定の間隔を設けて内装材を取り付ける内装材の取付構造において、上記壁面から間隔を設けて床部及び天井部に固着されたランナ材６，７と、これらランナ材間に所定間隔をおいて架設され、表板部、左右の側板部及び裏面の一部又は全部を形成する裏板部を有するスタッド材１０，５０，５２，７０と、上記スタッド材と壁面との間に介装され、上下部間に保持空間部３６が設けられた多孔質の弾性体からなる保持部材１２，５４，６２と、上記保持空間部に充填され、スタッド材の裏板部と壁面とを連結する接着剤８と、上記スタッド材の表面に取り付けられる内装材と、を有する構成である。
【０００９】
本発明に係る内装材の取り付け構造に用いられる上記保持部材は、端部が上記壁面に当接する上保持部、この上保持部の下方に位置する下保持部、及びこれら上下保持部を上記スタッド材の裏板部より内側において連結する連結保持部３４が設けられ、この上保持部と下保持部との間に上記接着剤が充填される保持空間部３６が設けられた構成である。
【００１０】
本発明に係る内装材の取付構造は、図５に示すように、上記保持部材は、端部が上記壁面に当接する上保持部、この上保持部の下方に位置する下保持部、及びこれら上下保持部を上記スタッド材の裏板部の外側において連結する連結保持部６８が設けられ、この上保持部と下保持部との間に上記接着剤が充填される保持空間部６７が形成されるとともに、上記連結保持部には、上記スタッド材の裏板部から上記壁面に通ずる空隙部６９が形成された構成である。
【００１１】
本発明に係る内装材の取付構造は、図１乃至図３に示すように、建物の壁面から所定の間隔を設けて内装材を取り付ける内装材の取付構造において、上記壁面から間隔を設けて床部及び天井部に固着されたランナ材と、これらランナ材間に所定間隔をおいて架設され、孔部１４が設けられた表板部、左右の側板部及び裏面の一部を形成する裏板部を有するスタッド材１０，５０と、上記スタッド材の孔部周辺の裏面と壁面との間に介装され、上下部間に保持空間部３６が設けられた多孔質の弾性体からなる保持部材１２，４２と、上記スタッド材の孔部１４から注入され、上記保持空間部を充填してスタッド材の裏板部と壁面とを連結する接着剤８と、上記スタッド材の表面に取り付けられる内装材と、を有する構成である。
【００１２】
本発明に係る内装材の取付構造は、上記保持部材は、端部が上記壁面に当接する上保持部、この上保持部の下方に位置する下保持部、及びこれら上下保持部を上記スタッド材の裏板部より内側において連結する連結保持部３４が設けられ、この上保持部と下保持部との間に上記接着剤が充填される保持空間部３６が形成され、上記連結保持部には上記スタッド材の孔部から上記保持空間部に通ずる貫通孔３８が形成された構成である。
【００１３】
また本発明に係る内装材の取付構造は、上記接着剤として、硬化後はゴム状弾性機能を有する弾性接着剤８を用いたことである。
【００１４】
【発明の実施の形態】
以下、本発明の実施の形態に係る内装材の取付構造を図面に基づいて説明する。
第一の実施の形態に係り、この取付構造では、上記図６に示すように建物の躯体である天井スラブ２および床スラブ面４に、壁面９から所定の間隔をおいて内装材としての内装用ボード５を取り付けるものである。この取付構造の下地材としては、図１に示すように、天井スラブ２及び床スラブ面４にそれぞれ取付られるランナ材６及びランナ材７、これらランナ材６及びランナ材７間に架設されるスタッド材１０、このスタッド材１０の裏面側に介装される保持部材１２が用いられる。
【００１５】
上記ランナ材６，７は、それぞれ断面チャンネル形状の軽量材料（鋼板等）からなり、これらランナ材６，７は、壁面９から１３ｍｍ〜２０ｍｍ程度のふかし幅を設けて配置する。上記スタッド材１０は、同図に示すように表板部２２、左右の側板部２３，２４、及びこれら側板部２３，２４の端部からそれぞれ内向に屈曲形成されるフランジ部２６，２７からなる断面略Ｃ字状の間柱である。このスタッド材１０は、裏板部の一部としてフランジ部２６，２７が形成され、また表板部２２には所定の間隔をおいて孔部１４が設けられている。
【００１６】
上記保持部材１２は、弾性体からなる。ここでは、特に多孔質のスポンジ状弾性体を用いたが、これは壁面９とスタッド材１０の不陸間隙を吸収することができ、弾性接着剤８を良好に保持する。この保持部材１２は断面コの字形状をなし、下面３１が水平な上保持部３０、上面３３が水平な下保持部３２、及び所定の厚みを有し内側面３５が平坦で上下保持部３０，３２を連結する連結保持部３４とからなっている。上記保持部材１２は、上記構成により、上保持部３０と下保持部３２との間には弾性接着剤８が注入充填される溝状の保持空間部３６が設けられている。また、上記連結保持部３４の中央部には背面部３７から内側面３５に至る貫通孔３８が設けられている。
【００１７】
上記上保持部３０と下保持部３２との間に設けられた溝状の保持空間部３６の上下間隔（ｈ）は２０ミリメートルに設定している。また連結保持部３４の厚さ（ｔ）はスタッド材１０の奥行き寸法（ｄ）よりやや小さめな寸法（ｔ＜ｄ）とし、スタッド材１０に内向きに形成されたフランジ部２６，２７の内面部２８にも、弾性接着剤８が回り込めるようにして、スタッド材１０を係止する構成としている。
【００１８】
このように、保持部材１２の連結保持部３４に十分な厚み（ｔ）を持たせて、弾性接着剤８の充填範囲をスタッド材１０のフランジ部２６，２７の内面の一部が充填される保持空間部３６の範囲に制限した。また、この保持部材１２の横幅（ｗ）は、スタッド材１０の枠内空間部２０を閉塞する必要上、スタッド材１０の横幅寸法（ｖ）と同じかそれ以上とする。
【００１９】
上記弾性接着剤８としては、変成シリコーン樹脂系、ウレタン樹脂系、アクリル樹脂系、可撓性エポキシ樹脂系等があるが、耐久性、接着性に優れる変成シリコーン樹脂接着剤が適している。弾性接着剤８は、硬化後はゴム状弾性機能を備え、高い剪断強度や引張強度を有するとともにコンクリート等建築材料に対して高い接着強度を有する。なお、ここでは弾性接着剤８を用いたが、これに代えて他の接着剤を用いることは可能であり、要は、保持部材に充填されスタッド材と壁面とを連結、固着する接着剤であればよい。
【００２０】
敷設に際しては、天井スラブ２および床スラブ面４に、それぞれランナ材６，７を壁面９から１３ｍｍ〜２０ｍｍ程度のふかしを設けて平行に配置する。そして、ランナ材６及びランナ材７間にスタッド材１０を架け渡す。このスタッド材１０の裏面側には保持部材１２を介装する。
【００２１】
上記保持部材１２は、スタッド材１０の裏面側にあらかじめ取付けるか、スタッド材１０を架設した後に取付けることとしてもよい。保持部材１２をスタッド材１０の裏面側に装着する際には、保持部材１２の貫通孔３８とスタッド材１０の孔部１４とが貫通するように合わせておく。
【００２２】
上記スタッド材１０の設置後に弾性接着剤８を注入する。このとき、接着剤の注入器具のノズルをスタッド材１０の孔部１４に差し込み、弾性接着剤８を注入すると、注入された弾性接着剤８は貫通孔３８を通過して、保持空間部３６を充填し、スタッド材１０のフランジ部２６，２７を通過して壁面９に至る。このとき、壁面９とスタッド材１０との隙間から弾性接着剤８の充填状態を確認することができ、必要に応じて弾性接着剤８の補充等の処置が適切に行える。
【００２３】
この状態で図２に示すように、弾性接着剤８は、保持部材１２によって充填範囲が均一に制限され、スタッド材１０のフランジ部２６，２７を含んで、スタッド材１０の枠内空間部２０の一部を充填し、かつスタッド材１０から壁面９までの保持空間部を均一な上下幅（ｈ）で充填され、スタッド材１０と壁面９とを連結接続する。弾性接着剤８の硬化後は、弾性接着剤８はスタッド材１０の特にフランジ部２６，２７と壁面９とを接着接合し、かつゴム状弾性機能を有し剪断強度のある弾性体としてスタッド材１０を壁面９に固定する。スタッド材１０が固定すれば、これに内装用ボード５を敷設する。
【００２４】
従って上記溝状の保持空間部３６に充填される弾性接着剤８の上下幅は一定となり、均一な量の弾性接着剤８が充填され、接着強度も一定に維持される。また、保持部材１２の連結保持部３４に十分な厚みを持たせて、弾性接着剤８の充填範囲を制限したから、弾性接着剤８は、保持部材１２の保持空間部３６と、スタッド材１０の枠内空間部２０の一部に充填されるのみであり、従来例と比べると少ない量で済み、且つスタッド材のフランジ部の両面を固着して高い固定強度が確保される。
【００２５】
また、強度の増強のためにスタッド材１０の形状（断面形状）を大きくしても、保持部材１２の連結保持部３４に十分な厚みを持たせることで、使用される弾性接着剤８の増量分は僅かで済み、しかも十分な接着強度が得られる。併せて従来２個の保持材を介装していたところが一回で済み作業的も簡単である。
【００２６】
また、弾性接着剤８は硬化後はゴム状弾性体として機能し、衝突等による壁面の振動或いは建物の躯体の荷重を受けない壁体構造（カーテンウォール工法、プレキャスト板を用いた構造のもの）が、地震による壁面の振動等に有効に追随でき、耐振性の優れた二重壁取付構造を提供できる。また、ランナ材６，７を用いてスタッド材を配置する構成としたから、壁面９からのふかし幅を容易かつ正確に確保することができる。なお、上記実施の形態は、建物の躯体としての壁面、天井面に限られず、建物の外壁、或いは塀等の壁面についても同様な取付構造を採用することができ、また同様な効果が期待できる。
【００２７】
図３は、上記スタッド材１０の他の形態のスタッド材５０を用いた例である。このスタッド材５０は、単に内側に屈曲したフランジ部５２，５３を有する点が、上記スタッド材１０と異なる。また、このスタッド材５０は、奥行きの寸法（ｄ１）を大きくすることで、孕み難いように強度を持たせている。これに併せて、保持部材１２の連結保持部３４を厚く（ｔ１）形成している。但し、連結保持部３４の厚さｔ１は奥行きの寸法ｄ１より小さく（ｔ１＜ｄ１）する。
【００２８】
このため、保持空間部３６に注入充填される弾性接着剤８の量は、スタッド材の奥行き寸法を大きくしても略一定量で済み、弾性接着剤８はスタッド材５０のフランジ部５２，５３と壁面９とを接合し、スタッド材５０の固定強度もかわらない。
【００２９】
したがって、この形態においては、上記スタッド材５０の奥行きを増して強度をもたせることとしても、弾性接着剤８の量、強度に影響を及ぼすことがない。なお、ここでのスタッド材５０の奥行きを増しかつ弾性接着剤８の強度を維持する形態は、上記スタッド材１０についても適用可能である。上記スタッド材の補強により、アジャスタピン等を壁面に打ち込んで壁面との間隔調整を行う必要もない。また、通常スタッド材の板厚は０．５ｍｍであるがこれを０．８ｍｍとすることで、スタッド材の剛性が増すことから、保持部材を壁面９との間に介在させ弾性接着剤を注入しても、スタッド材が室内側に孕むことがない。
【００３０】
上記実施の形態では、弾性接着剤８の注入器具のノズルをスタッド材１０の孔部１４に差し入れ、ここから保持部材１２の貫通孔３８を経由して弾性接着剤８を注入する形態であるが、この貫通孔３８に代えて同位置に貫通する切り込みを設け、この切り込みに注入器具のノズルを差し込み弾性接着剤８を注入する形態もとれる。
【００３１】
図４は、第二の実施の形態に係り、孔部を設けないスタッド材５２を用いる形態を示すものである。ここで用いる保持部材５４は、上記保持部材１２と同じ形態であり、上保持部３０、下保持部３２、連結保持部３４、及び弾性接着剤８が充填される溝状の保持空間部３６を有するが、貫通孔３８は設ける必要がない。また、スタッド材５２は、同図に示すように表板部５５、左右の側板部５６，５７、及びこれら側板部の端部からそれぞれ内向に屈曲形成されるフランジ部５８，５９からなる断面略Ｃ字状の間柱であり、表板部５５に孔部は設けてない。
【００３２】
上記第一の実施の形態は、スタッド材１０の孔部１４から弾性接着剤８を注入する形態であるが、ここではスタッド材５２と壁面９との隙間（ふかし）を利用し、ここから注入器具のノズルを差し込んで（矢印Ａ）弾性接着剤８を直接に保持部材５４の保持空間部３６に注入充填する。この実施の形態においても、弾性接着剤８の注入形態以外は、上記実施の形態と同様であり、このため溝状の保持空間部３６に均一な量の弾性接着剤８が充填されて接着強度が一定に維持され、また少ない量で固定強度が確保される等、上記第一の実施の形態と同様な効果が得られる。
【００３３】
図５は、第三の実施の形態に係り、断面矩形状のスタッド材６０を用いた形態を示すものである。このスタッド材６０は、表板部７０、側板部７１，７２及び裏板部７３からなる断面矩形状の角筒形状である。このスタッド材６０に用いる保持部材６２は、同図に示すように、上保持部６４と下保持部６６との間に溝状の保持空間部６７が形成され、上下保持部６４，６６を連結する連結保持部６８には、この連結保持部６８を貫通する空隙部６９が設けられている。
【００３４】
上記保持部材６２は、背面部６５をスタッド材６０の裏板部７３に当接した状態で、スタッド材６０と壁面９との間に介装する。そして、上記保持空間部６７に充填された弾性接着剤８は、空隙部６９を通過してスタッド材６０の裏板部７３と壁面９との間を連結する。この保持部材６２についても、多孔質のスポンジ状弾性体からなる。従って、この実施の形態によれば、保持空間部６７に充填される弾性接着剤８の上下幅は一定となり、均一な量の弾性接着剤８が充填され、接着強度も一定に維持される。併せて従来２個の保持材を介装していたところが一回で済み作業的も簡単である。
【００３５】
【発明の効果】
以上説明したように、本発明に係る内装材の取付構造によれば、スタッド材と壁面との間に介装され、上下部間に保持空間部が設けられた多孔質の弾性体からなる保持部材に接着剤を充填して、スタッド材の裏板部と壁面とを連結する構成を採用したから、均一な量の弾性接着剤が保持部材に充填され、接着強度が一定に維持されるという効果がある。また、保持部材の連結保持部により弾性接着剤の充填範囲を制限したから、弾性接着剤は少ない量で済み且つ高い固定強度が確保されるという効果がある。
【００３６】
また、本発明に係る内装材の取付構造によれば、孔部が設けられた表板部を有するスタッド材に保持部材を介装し、接着剤をスタッド材の孔部から注入して保持空間部を充填しスタッド材の裏板部と壁面とを連結する構成としたから、上記効果に加えて接着剤の注入が前面から行えて作業性が良いという効果がある。また、硬化後はゴム状弾性機能を有する弾性接着剤を用いたから、衝突等による壁面の振動など、また地震等による建物の層間変位に追随し、耐振性の優れた取付構造が得られるという効果がある。
【図面の簡単な説明】
【図１】本発明の第一の実施の形態に係る内装材の取付構造の分解斜視図である。
【図２】実施の形態に係る部分断面図であり、（ａ）は水平断面を、（ｂ）は垂直断面を示す。
【図３】他のスタッド材の形態に係る部分断面図であり、（ａ）は水平断面を、（ｂ）は垂直断面を示す。
【図４】第二の実施の形態に係る内装材の取付構造の説明図である。
【図５】第三の実施の形態に係る内装材の取付構造の説明図である。
【図６】従来例に係り、（ａ）は内装材の取付構造示す図、（ｂ）は部分断面図である。
【図７】従来例に係る部分断面図であり、（ａ）は水平断面を、（ｂ）は垂直断面を示す。
【符号の説明】
２  天井部（天井スラブ）
４  床部（床スラブ面）
５  内装材（内装用ボード）
６，７  ランナ材
９  壁面
１０，５０，５２，７０  スタッド材
１２，５４，６２  保持部材
１４  孔部
３４  連結保持部
３６  保持空間部
３８  貫通孔
【図１】
0004041340.tif 000002
【図２】
0004041340.tif 000003
【図３】
0004041340.tif 000004
【図４】
0004041340.tif 000005
【図５】
0004041340.tif 000006
【図６】
0004041340.tif 000007
【図７】
0004041340.tif 000008